(57)【要約】【課題】広告配信システム、広告配信方法及び広告配信用プログラムに関し、特に利用者の個人情報が広告主に漏れることなく利用者に適切な広告が配信できる広告配信システム、広告配信方法及び広告配信用プログラムを提供する。【解決手段】電話帳サーバと、広告提供サーバと、利用者端末とを備え、電話帳サーバは、広告入手手段と、電話帳検索手段と、広告配信手段と、電話帳データベースと、広告データベースとを備え、広告提供サーバは、広告提供手段を備え、利用者端末は、電話帳表示手段と、広告表示手段とを備えることを特徴とし、利用者端末が属するグループ情報に基づき、各利用者端末に配信する広告情報を決定する。【選択図】図１
2008217492.tif 000002
【特許請求の範囲】
【請求項１】
電話帳サーバと、広告提供サーバと、利用者端末とが、ネットワークを介して接続している広告配信システムであって、
前記広告提供サーバは、広告情報及び配信先情報を送信する広告提供手段を備え、
前記電話帳サーバは、
少なくとも１以上の前記広告提供サーバと接続し、前記広告情報及び前記配信先情報を入手する広告入手手段と、
前記広告情報及び配信先情報を記憶する広告データベースと、
少なくともグループ情報を記憶する電話帳データベースと、
前記利用者端末からの少なくとも１以上の検索要求に基づき、前記電話帳データベースを検索する電話帳検索手段と、
前記配信先情報により指定されたグループ情報に属する利用者端末に、前記広告情報を配信する広告配信手段と、を備え、
前記利用者端末は、
前記電話帳データベースの検索結果を表示する電話帳表示手段と、
前記広告情報を表示する広告表示手段と、を備えることを特徴とする広告配信システム。
【請求項２】
前記グループ情報は、予め設定された利用者端末のログイン情報が属するグループ情報であることを特徴とする請求項１記載の広告配信システム。
【請求項３】
前記グループ情報は、前記利用者端末から入力された検索要求に基づき、前記電話帳データベースを検索した結果のメンバが属するグループ情報であることを特徴とする請求項１記載の広告配信システム。
【請求項４】
広告入手手段を介して、広告提供手段から提供された広告情報と配信先情報を、広告データベースに登録する工程と、
電話帳検索手段が、利用者のログイン情報を使って電話帳データベースから利用者端末のグループ情報を取得する工程と、
前記取得したグループ情報を広告配信手段に提供する工程と、
前記利用者端末から入力された検索条件で前記電話帳データベースを検索する工程と、
前記広告配信手段が、前記利用者端末のグループ情報に基づき前記広告データベースから広告を検索する工程と、
前記検索した広告を広告表示手段に提供し、表示する工程と、
電話帳表示手段が、前記利用者端末のグループ情報及び前記検索条件に基づき電話帳検索手段により検索した結果を表示する工程と、を備えることを特徴とする広告配信方法。
【請求項５】
広告入手手段を介して、広告提供手段から提供された広告情報と配信先情報を、広告データベースに登録する工程と、
電話帳検索手段が、利用者端末から入力された検索条件で電話帳データベースを検索し、検索結果のメンバが所属するグループ情報を取得する工程と、
前記取得したグループ情報を広告配信手段に提供する工程と、
前記利用者端末から入力された検索条件で前記電話帳データベースを検索する工程と、
前記広告配信手段が、前記利用者端末のグループ情報に基づき前記広告データベースから広告を検索する工程と、
前記検索した広告を広告表示手段に提供し、表示する工程と、
電話帳表示手段が、前記利用者端末のグループ情報及び前記検索条件に基づき電話帳検索手段により検索した結果を表示する工程と、を備えることを特徴とする広告配信方法。
【請求項６】
広告入手手段を介して、広告提供手段から提供された広告情報と配信先情報を、広告データベースに登録する処理と、
電話帳検索手段が、利用者のログイン情報を使って電話帳データベースから利用者端末のグループ情報を取得する処理と、
前記取得したグループ情報を広告配信手段に提供する処理と、
前記利用者端末から入力された検索条件で前記電話帳データベースを検索する処理と、
前記広告配信手段が、前記利用者端末のグループ情報に基づき前記広告データベースから広告を検索する処理と、
前記検索した広告を広告表示手段に提供し、表示する処理と、
電話帳表示手段が、前記利用者端末のグループ情報及び前記検索条件に基づき電話帳検索手段により検索した結果を表示する処理と、を備えることを特徴とする広告配信用プログラム。
【請求項７】
広告入手手段を介して、広告提供手段から提供された広告情報と配信先情報を、広告データベースに登録する処理と、
電話帳検索手段が、利用者端末から入力された検索条件で電話帳データベースを検索し、検索結果のメンバが所属するグループ情報を取得する処理と、
前記取得したグループ情報を広告配信手段に提供する処理と、
前記利用者端末から入力された検索条件で前記電話帳データベースを検索する処理と、
前記広告配信手段が、前記利用者端末のグループ情報に基づき前記広告データベースから広告を検索する処理と、
前記検索した広告を広告表示手段に提供し、表示する処理と、
電話帳表示手段が、前記利用者端末のグループ情報及び前記検索条件に基づき電話帳検索手段により検索した結果を表示する処理と、を備えることを特徴とする広告配信用プログラム。
【発明の詳細な説明】
【技術分野】
【０００１】
本発明は広告配信システム、広告配信方法及び広告配信用プログラムに関し、特に利用者の個人情報が広告主に漏れることなく利用者に適切な広告が配信できる広告配信システム、広告配信方法及び広告配信用プログラムに関する。
【背景技術】
【０００２】
従来から、様々な広告配信システムが提案されている。例えば、広告主側から指定した配信先の条件（特に、配信エリア）に従って、配信を行うシステムである（例えば特許文献１参照）。このような広告配信システムは、図１０に示すように、携帯端末１Ａと、基地局２Ａと、交換局３Ａと、広告情報管理サーバ４Ａと、広告提供端末５Ａとから構成される。かかる構成により、広告主側から指定した配信先の条件（特に、配信エリア）に従って、広告情報管理サーバが当該配信エリアを受け持つ基地局の報知チャネルを用いて、配信先条件を複数の無線通信装置に報知し、無線通信装置は受信条件を満たす場合、通話チャネルまたは報知チャネルを用いて広告情報管理サーバが提供する広告情報を入手する。そして、無線通信装置は、広告情報を入手した場合、再び受信条件を満たすときでも、同じ広告情報を入手しない。
【０００３】
また、広告情報を画像データ等に付加し、かかる画像データ等を配信する情報配信システムが提案されている（例えば特許文献２参照）。このような情報配信システムは、図１１に示すように、画像データ処理装置１１と、サーバ１２と、宛先アドレスが付加された画像データを取得する画像データ取得手段と上記画像データを表示する表示手段とを有する携帯型電話機１５とから構成される。かかる構成により、画像データ処理装置１１から携帯型電話機１５へ画像データを配信する情報配信システムにおいて、サーバ１２内に設けた広告情報付加部３０によって、広告情報蓄積部２９から利用者情報に基づいた広告情報を抽出し画像／文章データに付加する。
【０００４】
また、データベース内の機密情報を保護し、通信ネットワーク内でターゲット広告を可能にするシステムが提案されている（例えば特許文献３参照）。このようなシステムは、図１２に示すような動作処理を行う。すなわち、データベースに入っている機密値の推論からデータベースを保護することは、データベースをパブリック値とプライベート（非パブリック）値に区分し（２０２）、パブリック値の一部を他のパブリック値よりも重要であるものとみなす（２０３）ことによって達成されている。プライベート属性値は、パブリック値とプライベート値との間の高い相関関係を減少するように電子的に処理される（２０４−２２６）。具体的には、プロセッサはデータベースを安全タプルと非安全タプルに区分し（２０４−２１０）、非安全タプルは高い相関パブリック値をもっている（２１６−２１８）。次に、プロセッサはタプルのパブリック属性値を選択的に結合し（２２０）、不確実性閾値レベルを越えて、そのプライベート属性値を推論することからかかるタプルをカムフラージュしている（２２６）。
【特許文献１】特開２００３−７８６５６号公報
【特許文献２】特開２００３−５２０３２号公報
【特許文献３】特表２０００−５１３４６３号公報
【発明の開示】
【発明が解決しようとする課題】
【０００５】
しかしながら、上記のような技術には、以下の問題点がある。まず、広告主側から指定した配信先の条件（特に、配信エリア）に従って、配信を行うシステムでは、移動した地域の広告しか利用者は受信できない点に問題がある。その理由は、広告主側から指定した配信先の条件（特に、配信エリア）に従って、広告情報管理サーバが当該配信エリアを受け持つ基地局の報知チャネルを用いて、配信先条件を複数の無線通信装置に報知し、無線通信装置は受信条件を満たす場合、通話チャネルまたは報知チャネルを用いて広告情報管理サーバが提供する広告情報を入手するためである。
【０００６】
また、画像データに広告情報を付加して配信するシステムでは、配信先情報として利用者の個人情報が使われてしまう点に問題がある。その理由は、画像データ処理装置１１から携帯型電話機１５へ画像データを配信する情報配信システムにおいて、サーバ１２内に設けた広告情報付加部３０によって、広告情報蓄積部２９から利用者情報に基づいた広告情報を抽出し画像／文章データに付加するためである。
【０００７】
また、データベースに入っている機密値の推論処理が複雑である点が問題である。その理由は、データベースをパブリック値とプライベート（非パブリック）値に区分し、パブリック値の一部を他のパブリック値よりも重要であるものとみなすことによって達成し、プライベート属性値は、パブリック値とプライベート値との間の高い相関関係を減少するように電子的に処理し、プロセッサはタプルのパブリック属性値を選択的に結合し、不確実性閾値レベルを越えて、そのプライベート属性値を推論しなければならないためである。
【０００８】
本発明はこのような状況に鑑みてなされたものであり、上記問題点を解決することを前提とし、どの地域の利用者にも、利用者の個人情報を直接利用せず、複数の利用者に対して個別に広告を配信できる広告配信システムを提供することを目的としている。
【課題を解決するための手段】
【０００９】
本発明の広告配信システムは、電話帳サーバと、広告提供サーバと、利用者端末とを備え、電話帳サーバは、広告入手手段と、電話帳検索手段と、広告配信手段と、電話帳データベースと、広告データベースとを備え、広告提供サーバは、広告提供手段を備え、利用者端末は、電話帳表示手段と、広告表示手段とを備え、前もって広告主が広告提供サーバから電話帳サーバへ広告情報と広告の配信先情報を提供し、利用者がネットワークに接続されている利用者端末から電話帳サーバの電話帳を検索すると、利用者の所属するグループ情報のみのやりとりで、広告主が指定した配信先をグループ情報で広告データベースを検索した結果の広告を利用者に配信するよう動作する。このような構成を採用し、広告主が指定した配信先の利用者に広告を配信し、本発明の目的を達成することができる。
【発明の効果】
【００１０】
本発明によれば、利用者の所属するグループ情報を用いて広告の配信を行うので、どの地域の利用者にも、利用者の個人情報を直接利用せず、複数の利用者に対して個別に広告を配信できる広告配信システムを提供することが出来る。
【発明を実施するための最良の形態】
【００１１】
以下に、本発明の実施形態に係る広告配信システム、広告配信方法及び広告配信用プログラムを、図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１２】
本発明の実施形態に係る広告配信システムの全体構成を図１に示す。図１を参照すると、本実施形態に係る広告配信システムは、プログラム制御により動作するコンピュータ（中央処理装置；プロセッサ；データ処理装置）である電話帳サーバ１０１と、プログラム制御により動作するコンピュータ（中央処理装置；プロセッサ；データ処理装置）である広告提供サーバ１０２と、プログラム制御により動作するコンピュータ（中央処理装置；プロセッサ；データ処理装置）である利用者端末１０３と、から構成されている。
【００１３】
電話帳サーバ１０１は、広告入手手段１０４と、電話帳検索手段１０５と、広告配信手段１０６と、メンバのグループ情報を含んだメンバ情報を蓄積した電話帳データベース１１０と、広告情報と配信先情報を蓄積した広告データベース１１１とを含む。広告提供サーバ１０２は、広告提供手段１０７を含む。利用者端末１０３は、電話帳表示手段１０８と、広告表示手段１０９とを含む。
【００１４】
次に、各手段の動作について説明する。広告入手手段１０４は、広告提供手段１０７から提供された広告情報１１２と配信先情報１１３を受け取り、広告情報１１２と配信先情報１１３を広告データベース１１１に登録する。
【００１５】
電話帳検索手段１０５は、利用者のログイン情報を使って電話帳データベース１１０から利用者のグループ情報を取得し、利用者のグループ情報を電話帳表示手段１０８に提供し、電話帳表示手段１０８から提供されたグループ情報を広告配信手段１０６に提供し、電話帳表示手段１０８から提供された検索条件で電話帳データベース１１０を検索して検索結果を電話帳表示手段１０８に提供する。
【００１６】
広告配信手段１０６は、電話帳検索手段１０５から提供されたグループ情報を条件に広告データベース１１１から広告を検索して広告表示手段１０９に提供する。広告提供手段１０７は、広告主が入力した広告情報１１２と配信先情報１１３を広告入手手段１０４に提供する。
【００１７】
電話帳表示手段１０８は、電話帳検索手段１０５から提供された利用者のグループ情報１１４を保持し、利用者が入力した検索条件と利用者のグループ情報１１４を電話帳検索手段１０５に提供し、電話帳検索手段１０５が提供した検索結果を表示する。広告表示手段１０９は、広告配信手段１０６から提供された広告を表示する。
【００１８】
次に、フローチャートを参照して本実施形態の動作処理について詳細に説明する。図２は、本実施形態に係る広告データベース１１１へ情報を登録する際の動作処理を示すフローチャートである。まず、広告主が広告提供サーバ１０２に広告情報１１２と配信先情報１１３を入力する（ステップＳ１）。次に、広告提供手段１０７が広告情報１１２と配信先情報１１３を広告入手手段１０４に提供する（ステップＳ２）。さらに、広告入手手段１０４が広告情報と配信先情報を広告データベース１１１に登録する（ステップＳ３）。
【００１９】
次に、図３を用いて利用者のグループ情報１１４を取得する際の動作処理について説明する。利用者が利用者端末１０３から電話帳サーバ１０１にログインする（ステップＳ５）。次に、電話帳検索手段１０５が電話帳データベース１１０から利用者のグループ情報１１４を取得する（ステップＳ６）。電話帳検索手段１０５は、取得した利用者のグループ情報１１４を電話帳表示手段１０８に提供し（ステップＳ７）、電話帳表示手段１０８が利用者のグループ情報１１４を保持する（ステップＳ８）。
【００２０】
次に、広告を配信する際の動作処理について図４を用いて説明する。利用者は、電話帳表示手段１０８から検索条件を入力する（ステップＳ１０）。電話帳表示手段１０８が、入力された検索条件と、保持しているグループ情報１１４を電話帳検索手段１０５に提供する（ステップＳ１１）。
【００２１】
電話帳検索手段１０５は、グループ情報１１４を広告配信手段１０６に提供し（ステップＳ１２）、広告配信手段１０６は、グループ情報１１４を条件に広告データベース１１１から広告を検索して広告表示手段１０９に提供する（ステップＳ１３）。広告表示手段１０９が広告を表示する（ステップＳ１４）。
【００２２】
また、電話帳検索手段１０５は、入力された検索条件で電話帳データベース１１０を検索し、検索結果を電話帳表示手段１０８に提供する（ステップＳ１５）。電話帳表示手段１０８は入力された検索条件と、検索結果を表示する（ステップＳ１６）。
【００２３】
上記実施形態では、利用者の地域情報や端末の位置情報ではなく、利用者の所属するグループ情報を用いて広告を検索し、広告主が指定した広告を配信する構成であるため、どの地域からの利用者であっても必要とする広告を配信することが可能となる。
【００２４】
また、本実施形態では、ネットワークに接続されている利用者端末１０３から、電話帳サーバが有する電話帳データベース１１０を検索し、所属するグループ情報を取得した上で、かかるグループ情報に基づき、広告主が指定した配信先の利用者に広告を配信する構成であるため、利用者の個人情報を直接利用せずに効果的な広告を配信できる。
【００２５】
また、広告主が配信先として指定したグループ情報１１４をキーとして、利用者が属するグループ情報に基づき広告データベース１１１から検索された広告情報１１２が各利用者端末に配信されるため、複数の利用者端末に対して個別に効率的に広告を配信することが出来る。
【００２６】
次に、本発明の他の実施形態に係る広告配信システムについて図面を参照して詳細に説明する。図５は、本実施形態に係る広告配信システムの全体構成を示すブロック図である。図５を参照すると、本実施形態に係る広告配信システムは、プログラム制御により動作するコンピュータ（中央処理装置；プロセッサ；データ処理装置）である電話帳サーバ２０１と、プログラム制御により動作するコンピュータ（中央処理装置；プロセッサ；データ処理装置）である広告提供サーバ２０２と、プログラム制御により動作するコンピュータ（中央処理装置；プロセッサ；データ処理装置）である利用者端末２０３と、から構成されている。
【００２７】
電話帳サーバ２０１は、広告入手手段２０４と、電話帳検索手段２０５と、広告配信手段２０６と、メンバのグループ情報を含んだメンバ情報を蓄積した電話帳データベース２１０と、広告情報と配信先情報を蓄積した広告データベース２１１とを含む。広告提供サーバ２０２は、広告提供手段２０７を含む。利用者端末２０３は、電話帳表示手段２０８と、広告表示手段２０９とを含む。
【００２８】
次に、各手段の動作について説明する。広告入手手段２０４は、広告提供手段２０７から提供された広告情報と配信先情報を受け取り、広告情報２１２と配信先情報２１３を広告データベース２１１に登録する。
【００２９】
電話帳検索手段２０５は、電話帳表示手段２０８から提供された検索条件で電話帳データベース２１０を検索し、検索結果のメンバが所属するグループ情報を広告配信手段２０６に提供し、検索結果を電話帳表示手段２０８に提供する。
【００３０】
広告配信手段２０６は、電話帳検索手段２０５から提供されたグループ情報を条件に広告データベース２１１から広告を検索して広告表示手段２０９に提供する。広告提供手段２０７は、広告主が入力した広告情報２１２と配信先情報２１３を広告入手手段２０４に提供する。
【００３１】
電話帳表示手段２０８は、電話帳検索手段２０５から提供された利用者のグループ情報２１４を保持し、利用者が入力した検索条件と利用者のグループ情報２１４を電話帳検索手段２０５に提供し、電話帳検索手段２０５が提供した検索結果を表示する。広告表示手段２０９は、広告配信手段２０６から提供された広告を表示する。
【００３２】
次に、フローチャートを参照して本実施形態の動作処理について詳細に説明する。図６は、広告データベース２１１へ情報を登録する際の動作処理を示すフローチャートである。まず、広告主が広告提供サーバ２０２に広告情報２１２と配信先情報２１３を入力する（ステップＳ２０）。次に、広告提供手段２０７が広告情報２１２と配信先情報２１３を広告入手手段２０４に提供する（ステップＳ２１）。広告入手手段２０４が広告情報と配信先情報を広告データベース２１１に登録する（ステップＳ２２）。
【００３３】
次に、図７を用いて本実施形態に係る広告配信の際の動作処理を説明する。利用者が利用者端末２０３から電話帳サーバ２０１にログインする（ステップＳ２５）。利用者が電話帳表示手段２０８から検索条件を入力し（ステップＳ２６）、電話帳表示手段２０８が検索条件を電話帳検索手段２０５に提供する（ステップＳ２７）。
【００３４】
さらに、電話帳検索手段２０５が検索条件で電話帳データベース２１０を検索して検索結果と検索結果のメンバが所属するグループ情報を入手する（ステップＳ２８）。電話帳検索手段２０５がグループ情報を広告配信手段２０６に提供する（ステップＳ２９）。広告配信手段２０６がグループ情報を条件に広告データベース２１１から広告を検索して広告表示手段２０９に提供する（ステップＳ３０）。広告表示手段２０９は、検索された広告を表示する（ステップＳ３１）。
【００３５】
また、電話帳検索手段２０５は、検索結果を電話帳表示手段２０８に提供する（ステップＳ３２）。最後に、電話帳表示手段２０８が検索結果を表示し（ステップＳ３３）、終了する。
【００３６】
本実施形態では、利用者の地域情報や端末の位置情報ではなく、メンバの所属するグループ情報を用いて広告を検索して広告主が指定した広告を配信する構成のため、どこの地域からの利用者にも効果的な広告を配信することが可能となる。
【００３７】
また、利用者がネットワークに接続されている利用者端末２０３から電話帳サーバ２０１の電話帳データベース２１０を検索し、検索されたメンバの所属するグループ情報を利用して広告主が指定した配信先の利用者に広告を配信する構成のため、利用者の個人情報を利用せずに効果的な広告を配信することが可能となる。
【００３８】
また、広告主が配信先として指定したグループ情報をキーとして、メンバが属するグループ情報に基づき広告データベース２１１から検索された広告情報２１２が各利用者端末に配信されるため、複数の利用者端末に対して個別に効率的に広告を配信することが出来る。
【実施例１】
【００３９】
次に、具体的な実施例１を用いて本発明に係る広告配信システムについて説明する。図８に示すように、実施例１に係る広告配信システムは、電話帳サーバ３０１と、広告提供サーバ３０２と、利用者端末３０３から構成されている。
【００４０】
まず、広告情報１１２と配信先情報１１３を広告データベース１１１に登録する（図１参照）。広告主が広告提供サーバ１０２に広告情報１１２と配信先情報１１３を入力する（図２のステップＳ１）。
【００４１】
図９は、本実施例に係る広告配信先マップの一例を示す図である。広告配信先マップは、広告主が入力した広告情報と配信先情報が広告データベース１１１に蓄積されたイメージを示す図である。図９の広告配信先マップを参照すると、広告主がＡ社だとすると、広告情報１１２の「パソコン」に対して配信先情報１１３として「経理」「総務」「人事」「ＳＷ開発」「ＨＷ開発」を入力する。
【００４２】
次に、広告提供手段１０７が、広告主がＡ社の広告情報１１２の「パソコン」と配信情報１１３の「経理」「総務」「人事」「ＳＷ開発」「ＨＷ開発」を広告入手手段１０４に提供する（図２のステップＳ２）。
【００４３】
さらに、広告入手手段１０４が、広告主がＡ社の広告情報の「パソコン」と配信情報の「経理」「総務」「人事」「ＳＷ開発」「ＨＷ開発」を広告データベース１１１に登録する（ステップＳ３）。
【００４４】
次に、利用者が利用者端末１０３から電話帳サーバ１０１にログインする（図３のステップＳ５）。例えば、「人事」のグループに所属する利用者Ａがログインしたとする。次に、電話帳検索手段１０５が電話帳データベース１１０から利用者Ａのグループ情報の「人事」を取得する（ステップＳ６）。
【００４５】
さらに、電話帳検索手段１０５が利用者Ａのグループ情報の「人事」を電話帳表示手段１０８に提供する（ステップＳ７）。さらに、電話帳表示手段１０８が利用者Ａのグループ情報１１４の「人事」を保持する（ステップＳ８）。
【００４６】
次に、実施例１に係る広告配信の動作処理について説明する。利用者Ａは、電話帳を検索するため、電話帳表示手段１０８から検索条件の「メンバＸ」を入力する（図４のステップＳ１０）。次に、電話帳表示手段１０８が検索条件の「メンバＸ」とグループ情報１１４の「人事」を電話帳検索手段１０５に提供する（ステップＳ１１）。
【００４７】
さらに、電話帳検索手段１０５がグループ情報の「人事」を広告配信手段１０６に提供する（ステップＳ１２）。さらに、広告配信手段１０６がグループ情報の「人事」を条件に広告データベース１１１から広告「Ｃ社の電卓」と広告「Ａ社のソフトウェア」を検索して広告表示手段１０９に提供する（ステップＳ１３）。
【００４８】
さらに、広告表示手段１０９が広告「Ｃ社の電卓」と広告「Ａ社のソフトウェア」を表示する（ステップＳ１４）。さらに、電話帳検索手段１０５が検索条件の「メンバＸ」で電話帳データベース１１０を検索して検索結果の「メンバＸ」のメンバ情報を電話帳表示手段１０８に提供する（ステップＳ１５）。最後に、電話帳表示手段１０８が検索結果の「メンバＸ」のメンバ情報を表示する（ステップＳ１６）。
【実施例２】
【００４９】
実施例２に係る広告配信システムの構成は、実施例１と同様である。すなわち、電話帳サーバ３０１と、広告提供サーバ３０２と、利用者端末３０３から構成されている（図８参照）。
【００５０】
まず、広告主が広告提供サーバ２０２に広告情報２１２と配信先情報２１３を入力する（図６のステップＳ２０）。例えば、広告主がＡ社だとすると、広告情報の「パソコン」に対して配信先情報として「経理」「総務」「人事」「ＳＷ開発」「ＨＷ開発」を入力する（図９参照）。
【００５１】
次に、広告提供手段２０７が広告主Ａ社の広告情報２１２の「パソコン」と配信先情報２１３の「経理」「総務」「人事」「ＳＷ開発」「ＨＷ開発」を広告入手手段２０４に提供する（ステップＳ２１）。さらに、広告入手手段２０４が広告情報の「パソコン」と配信先情報の「経理」「総務」「人事」「ＳＷ開発」「ＨＷ開発」を広告データベース２１１に登録する（ステップＳ２２）。
【００５２】
次に、実施例１に係る広告配信の動作処理について説明する。まず、利用者が利用者端末２０３から電話帳サーバ２０１にログインする（図７のステップＳ２５）。例えば、任意のグループに所属する利用者Ａがログインしたとする。
【００５３】
利用者Ａは電話帳を検索するため、電話帳表示手段２０８から検索条件の「メンバＸ」を入力する（ステップＳ２６）。次に、電話帳表示手段２０８が検索条件の「メンバＸ」を電話帳検索手段２０５に提供する（ステップＳ２７）。
【００５４】
さらに、電話帳検索手段２０５が検索条件の「メンバＸ」で電話帳データベース２１０を検索して検索結果の「メンバＸ」と検索結果のメンバが所属するグループ情報を入手する（ステップＳ２８）。例えば、「メンバＸ」は「人事」のグループに所属しているとすると、電話帳検索手段２０５が「人事」のグループ情報を入手する。
【００５５】
さらに、電話帳検索手段２０５がグループ情報の「人事」を広告配信手段２０６に提供する（ステップＳ２９）。広告配信手段２０６は、グループ情報の「人事」を条件に広告データベース２１１から広告「Ｃ社の電卓」と広告「Ａ社のソフトウェア」を検索して広告表示手段２０９に提供する（ステップＳ３０）。
【００５６】
広告表示手段２０９が広告「Ｃ社の電卓」と広告「Ａ社のソフトウェア」を表示する（ステップＳ３１）。電話帳検索手段２０５が検索結果の「メンバＸ」のメンバ情報を電話帳表示手段２０８に提供する（ステップＳ３２）。最後に、電話帳表示手段２０８が検索結果の「メンバＸ」のメンバ情報を表示し（ステップＳ３３）、終了する。
【００５７】
本発明は、広告提供者（広告主）の望んでいるグループに対して広告を配信することを特徴としている。また、広告情報を検索するためにグループ情報を利用することを特徴とする。
【００５８】
本発明は、電話帳を検索するシステムを使って広告を配信するといった用途に適用できる。また、インターネットのWWWを利用した広告配信といった用途にも適用できる。また、インターネットの電子メールを利用した広告配信といった用途にも適用可能である。
【００５９】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００６０】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【００６１】
【図１】本発明の実施形態に係る広告配信システムの全体構成を示すブロック図である。
【図２】本発明の実施形態に係る広告データベース１１１へ情報を登録する際の動作処理を示すフローチャートである。
【図３】本発明の実施形態に係るグループ情報１１４を取得する際の動作処理を示すフローチャートである。
【図４】本発明の実施形態に係る広告配信の際の動作処理を示すフローチャートである。
【図５】本発明の他の実施形態に係る広告配信システムの全体構成を示すブロック図である。
【図６】本発明の他の実施形態に係る広告データベース２１１へ情報を登録する際の動作処理を示すフローチャートである。
【図７】本発明の他の実施形態に係る広告配信の際の動作処理を示すフローチャートである。
【図８】実施例１に係る広告配信システムの構成ブロック図である。
【図９】実施例１に係る広告配信先マップを示す図である。
【図１０】従来の広告配信システムの一例を示した図である。
【図１１】従来の広告配信システムの一例を示した図である。
【図１２】従来の広告配信システムの一例を示した図である。
【符号の説明】
【００６２】
１０１、２０１、３０１    電話帳サーバ
１０２、２０２、３０２    広告提供サーバ
１０３、２０３、３０３    利用者端末
１０４、２０４    広告入手手段
１０５、２０５    電話帳検索手段
１０６、２０６    広告配信手段
１０７、２０７    広告提供手段
１０８、２０８    電話帳表示手段
１０９、２０９    広告表示手段
１１０、２１０    電話帳データベース
１１１、２１１    広告データベース
１１２、２１２    広告情報
１１３、２１３    配信先情報
１１４、２１４    グループ情報
【図１】
2008217492.tif 000003
【図２】
2008217492.tif 000004
【図３】
2008217492.tif 000005
【図４】
2008217492.tif 000006
【図５】
2008217492.tif 000007
【図６】
2008217492.tif 000008
【図７】
2008217492.tif 000009
【図８】
2008217492.tif 000010
【図９】
2008217492.tif 000011
【図１０】
2008217492.tif 000012
【図１１】
2008217492.tif 000013
【図１２】
2008217492.tif 000014